(57)【特許請求の範囲】
【請求項１】
酒石酸ジエチルおよび／またはマンデル酸メチルを有効成分として含有し、中性条件においてアミン臭を除去する消臭剤。
【請求項２】
酒石酸ジエチルおよび／またはマンデル酸メチルの消臭有効成分と、ポリオキシエチレン（１０）ノニルフェニルエーテル、ポリオキシエチレン（４０）硬化ヒマシ油およびポリオキシエチレン（２０）ソルビタンモノラウレートよりなる群より選ばれた界面活性剤とを含有し、可溶化液剤である、中性条件においてアミン臭を除去する消臭剤。
【発明の詳細な説明】
【０００１】
【産業上の利用分野】
本発明は、消臭剤に関し、更に詳細には、特にアミン類の臭気を有効に除去することのできる消臭剤に関する。
【０００２】
【従来の技術】
近年、生活環境や意識の変化にともない、身の回りの悪臭の防止が強く要求されており、生ゴミや、トイレ等の悪臭を有効に解消ないしは抑制することが求められている。 悪臭には、メルカプタン類、硫化水素、アンモニアやアミン系化合物等いくつかの系統の悪臭があることが知られており、これに対応した種々の消臭技術の開発が行われている。
【０００３】
従来、アンモニアやアミン系化合物（以下、「アミン類」という）の臭気を除去する目的で使用されている化学的消臭剤としては、有機酸類、ビタミンＣ、フラボノイド類等の水溶液が知られている。 しかしながら、従来知られている上記化合物は、いずれもその水溶液は酸性であり、好ましくない場合もあり、中性付近で有効に作用する消臭剤が求められている。
【０００４】
【発明が解決しようとする課題】
従って、中性付近で効率良くアミン類の臭気を除去することができる消臭剤を提供することが本発明の目的である。
【０００５】
【課題を解決するための手段】
本発明者らは、中性付近においても悪臭の原因の一つであるアミン類を有効に除去できる化合物を見出すべく、数多くの化合物について検索を行った結果、いくつかのエステル類がこの条件を満足しうることを見出し、本発明を完成した。
【０００６】
すなわち本発明は、マロン酸エステル類、酒石酸エステル類およびマンデル酸エステル類よりなる群から選ばれた化合物の１種又は２種以上を有効成分として含有する消臭剤を提供するものである。
【０００７】
本発明において、有効成分として用いられる化合物のうち、マロン酸エステル類は下記一般式（I）で、また、酒石酸エステル類は下記一般式（II）で、更にマンデル酸エステル類は下記一般式（III）でそれぞれ表される化合物である。
【０００８】
【化１】
0003770935.tif 000002
（式中、Ｒはいずれも炭素数１〜５のアルキル基を示す）
【０００９】
具体的には、マロン酸ジメチル、マロン酸ジエチル、マロン酸ジプロピル、マロン酸ジイソプロピル等のマロン酸エステル類；酒石酸ジメチル、酒石酸ジエチル、酒石酸ジプロピル、酒石酸ジイソプロピル等の酒石酸エステル類およびマンデル酸メチル、マンデル酸エチル、マンデル酸プロピル、マンデル酸イソプロピル、マンデル酸ブチル等のマンデル酸エステル類が挙げられる。
なお、このうち酒石酸エステル類及びマンデル酸エステル類については、光学異性体が存在するが、いずれも本発明の消臭剤として用いることができる。
【００１０】
本発明の消臭剤は、マロン酸エステル類、酒石酸エステル類またはマンデル酸エステル類（以下、「消臭エステル化合物」ということがある）をそのまま若しくは公知の消臭剤担体と組合せることにより調製される。
【００１１】
有効成分として用いる消臭エステル化合物の配合量は、悪臭物質の濃度によっても異なるが、一般には消臭剤全体に対して０.００１重量％（以下、単に「％」で示す）以上含有されておれば良く、好ましくは０.０１〜２０％の範囲である。
【００１２】
また、本発明の消臭剤は、液状、粉状、粒状、ゲル状、エアゾール等の形態で使用することができ、消臭剤担体としては、水、アルコール類、グリコール類等の液状担体；ケイ酸カルシウム、シリカゲル等の固体担体等が利用される。
【００１３】
更に本発明の消臭剤には、上記成分の他、任意成分として、酸化防止剤、防腐剤、色素、ｐＨ調整剤、紫外線吸収剤等の添加剤を加えることもできる。
【００１４】
なお、本発明で用いる消臭エステル化合物のうち、酒石酸エステル類は比較的水に溶けやすいが、マロン酸エステル類及びマンデル酸エステル類はいずれも単独では水に不溶であり、液状の消臭剤とする場合や、水系の悪臭源に使用する場合は、ポリオキシエチレン（１０）ノニルフェニルエーテル、ポリオキシエチレン（４０）硬化ヒマシ油、ポリオキシエチレン（２０）ソルビタンモノラウレート等の界面活性剤等と組合せて可溶化することが好ましく、効率的である。
【００１５】
本発明の消臭剤は、アミン臭に対して特に効率良く消臭することができるので、単独で、トイレや台所回りの生ゴミ等の悪臭源に散布使用することができる。
【００１６】
また、そればかりでなく、これを香料と組み合わせたり、硫化水素臭やメルカプタン臭を効率良く消臭できる他の消臭剤と組み合わせて用いることにより、広い範囲の悪臭に作用する優れた消臭剤とすることができる。
【００１７】
【発明の効果】
本発明の消臭剤は、中性条件においてもアミン類の悪臭に対して効果があり、アミン臭用の消臭剤として有利に使用することができる。
【００１８】
【実施例】
次に実施例を挙げ、本発明を更に詳しく説明するが、本発明はこれら実施例になんら制約されるものではない。
【００１９】
実 施 例  １
アンモニア臭に対する消臭効果：
本発明試料として、マロン酸ジエチル、酒石酸ジエチル、マンデル酸メチル  を、比較試料としてラウリルメタアクリレートを用い、下記の方法によりアンモニア臭に対する消臭効果を調べた。
【００２０】
消臭効果は、脱脂綿 ０.５ｇに、各被検試料の２％水溶液［Ｐ.Ｏ.Ｅ（１３）ノニルフェニルエーテル８％で可溶化した水溶液］５.０ｇを均一に付着させ、これを７００ｍｌ広口ガラス容器に入れた後、マイクロシリンジでアンモニア水３０μｌを脱脂綿に直接触れず、容器内壁に付着するように注入し、コック付ガラス管を付したシリコン栓で密封し、経時的にアンモニア濃度を測定することにより行った。
【００２１】
密封直後、３０分後、１時間後および２時間後に容器中のアンモニア濃度を北川式ガス検知管にて測定し、下記に示す式によりコントロール容器中での濃度と比較して求めた消臭率を表１に示す。 なお、コントロールとしては、２％ジエチルフタレート水溶液を用い、またアンモニアの初期濃度は５００ｐｐｍであった。
【００２２】
消 臭 率（％） ＝ ［（Ｃ−Ｓ）／Ｃ］ × １００
Ｓ； 試料容器中の臭気ガス濃度（ｐｐｍ）
Ｃ； コントロール容器中の臭気ガス濃度（ｐｐｍ）
【００２３】
0003770935.tif 000003
【００２４】
実 施 例  ２
消 臭 型 香 料 組 成 物 ：
消臭化合物としてマロン酸ジエチルを用い、下記組成の消臭型香料組成物を調合した。 このものは悪臭消臭効果とともにスイートフローラル−ウッディパウダリィな香りを有していた。
【００２５】
0003770935.tif 000004
【００２６】
実 施 例  ３
水 ゲ ル 消 臭 芳 香 剤 ：
実施例２で得た消臭型香料組成物を用い、下記組成で水ゲル消臭芳香剤を調製した。
【００２７】
0003770935.tif 000005
【００２８】
実 施 例  ４
液 体 消 臭 芳 香 剤 ：
実施例２で得た消臭型香料組成物を用い、下記組成で液体消臭芳香剤を調製した。
【００２９】
0003770935.tif 000006
【００３０】
実 施 例  ５
消 臭 芳 香 エ ア ゾ ー ル ：
実施例２で得た消臭型香料組成物を用い、下記組成で消臭芳香エアゾールを調製した。
【００３１】
0003770935.tif 000007
以    上